(57)【要約】【課題】携帯に便利であり、燃焼性能に優れて落ち葉や枯れ木等を燃料としても立消えを起こさない焚き火台を提供する。【解決手段】脚部４１、４２を備えた略矩形の灰受け部２０と、灰受け部２０の上部に設けられる火格子３１、３２と、灰受け部及び火格子の上部周縁に設けられる囲み板６１、６２、６３、６４とを備える。火格子３１、３２は、複数の火格子孔５１、５３を備え、火格子孔５３の周縁は、エンボス加工により上方へ浮き出している。【選択図】図５
2010243042.tif 000002
【特許請求の範囲】
【請求項１】
脚部を備えた皿状の灰受け部と、該灰受け部の上部に設けられる火格子と、前記灰受け部の上部周縁に設けられる囲み板とを備える焚き火台であって、
前記火格子が、複数の火格子孔を備える平板からなり、かつ、少なくとも一部の前記火格子孔の周縁がエンボス加工により上方へ浮き出されてなることを特徴とする焚き火台。
【請求項２】
前記火格子が、エンボス加工された火格子孔とエンボス加工されていない火格子孔とからなり、エンボス加工された火格子孔の全面積が、エンボス加工されていない火格子孔の全面積よりも小さく形成されてなることを特徴とする請求項１記載の焚き火台。
【請求項３】
前記火格子が、周縁部を下方に折り曲げて形成された端側部を備え、該端側部の高さによって前記灰受け部との間が所定の距離に形成されてなることを特徴とする請求項１又は２に記載の焚き火台。
【請求項４】
前記火格子が、ステンレスの板を素材としてなることを特徴とする請求項１乃至３の何れかに記載の焚き火台。
【発明の詳細な説明】
【技術分野】
【０００１】
本発明は、落ち葉や枯れ木等の天然燃料を使用して、簡単に焚き火をすることができる焚き火台に関し、特に、携帯に便利であると共に、燃焼性能に優れて立消えを起こさない焚き火台に関する。
【背景技術】
【０００２】
屋外でバーベキューや鍋料理等の調理を行うキャンプ用品として、カセットガスコンロや炭火コンロが多く用いられている。これらは、その型式や大きさ等を適宜選択することにより、様々な規模で様々な調理に要求される火力を提供することができる。また、車等での持ち運びが便利となるように、多くのものは、コンパクトに折り畳みができるようになっている。
【０００３】
例えば、特許文献１には、コンパクトに折り畳むことができる携帯コンロの一例が記載されている。図７に示すように、特許文献１に記載されている携帯コンロ１１０は、複数の金属の板材を組み合わせることにより、組み立てと分解とを繰り返し行うことができる構成となっている。
【０００４】
携帯コンロ１１０は、上面に火格子１３０を備えて略矩形の皿状に形成された灰受け部１２０と、灰受け部１２０の上部周縁に設けられる囲み板とを備えている。火格子１３０は、複数の火格子孔１３５を備えている。囲み板は、前面板１６１、背面板１６２、及び側面板１６３、１６４を組み合わせて構成され、火格子１３０の周囲を取り囲むように形成されている。そして、この囲み板の内側が、燃料を燃焼させる燃焼室を形成している。
【０００５】
前面板１６１及び背面板１６２は、側面板１６３、１６４の間に差し込まれて組み立てられている。したがって、分解するときには、前面板１６１及び背面板１６２を側面板１６３、１６４の間から引き抜いて、外すことができる。また、一対の側面板１６３、１６４は、夫々灰受け部１２０の両端に回転軸１２１、１２２で連結されており、灰受け部１２０に対して回動可能に形成され、折り畳み可能となっている。
【０００６】
このように構成された携帯コンロ１１０は、不使用時にはコンパクトに折り畳んで車等に収納することができる。また、使用時には、図７に記載された状態に組み立てて、火格子１３０の上で木炭等の燃料を燃やすことができる。そして、バーベキューや鍋料理等の調理を行うことができる。
【０００７】
しかしながら、このような従来の携帯コンロは、キャンプ用品として製作されているために、その多くは燃料が特定されている。すなわち、多くの場合使用燃料は、灯油、木炭、カセットガス等であり、落ち葉や枯れ木等の天然燃料を使用することができない。図７に示した携帯コンロ１１０を用いて落ち葉や枯れ木等を燃焼させても、その燃焼効率が低いために、立消えすることが多い。
【０００８】
もしも、落ち葉や枯れ木を優れた燃焼効率で燃焼させることができるならば、キャンプ生活は、より楽しく、より経済的なものとすることができる。また、自然災害に遭遇した場合でも、このような天然燃料を使用することができるならば、燃料の有無を気にすることなく、お湯を沸かしたり、調理を行ったりすることができる。
【先行技術文献】
【特許文献】
【０００９】
【特許文献１】２００１−４１４５５号公報
【発明の概要】
【発明が解決しようとする課題】
【００１０】
この発明が解決しようとする課題は、落ち葉や枯れ木等の天然燃料を使用する場合に、優れた燃焼効率を得ることができる焚き火台を提供することである。そして、バーベキューや鍋料理等の調理を行うことができると共に、コンパクトに折り畳んで携帯できる焚き火台を提供することである。さらに、キャンプ生活での使用は勿論のこと、自然災害に遭遇した場合でも容易に使用することができる焚き火台を提供することである。
【課題を解決するための手段】
【００１１】
本発明の請求項１に係る焚き火台は、脚部を備えた皿状の灰受け部と、該灰受け部の上部に設けられる火格子と、前記灰受け部の上部周縁に設けられる囲み板とを備える焚き火台であって、前記火格子が、複数の火格子孔を備える平板からなり、かつ、少なくとも一部の前記火格子孔の周縁がエンボス加工により上方へ浮き出されてなる手段を採用している。
【００１２】
また、本発明の請求項２に係る焚き火台は、請求項１に記載の焚き火台であって、前記火格子が、エンボス加工された火格子孔とエンボス加工されていない火格子孔とからなり、エンボス加工された火格子孔の全面積が、エンボス加工されていない火格子孔の全面積よりも小さく形成されてなる手段を採用している。また、本発明の請求項３に係る焚き火台は、請求項１又は２に記載の焚き火台であって、前記火格子が、周縁部を下方に折り曲げて形成された端側部を備え、該端側部の高さによって前記灰受け部との間が所定の距離に形成されてなる手段を採用している。また、本発明の請求項４に係る焚き火台は、請求項１乃至３の何れかに記載の焚き火台であって、前記火格子が、ステンレスの板を素材としてなる手段を採用している。
【発明の効果】
【００１３】
本発明の焚き火台は、落ち葉や枯れ木等の天然燃料を使用して、優れた燃焼効率を得ることができる。そして、天然燃料を使用してバーベキューや鍋料理等の調理を行うことができる。また、コンパクトに折り畳んで携帯することができるので、キャンプ生活での使用は勿論のこと、自然災害に遭遇した場合等にも威力を発揮することができる。
【図面の簡単な説明】
【００１４】
【図１】本発明の焚き火台の組み立てられた状態を示す概略斜視図である。
【図２】図１に示す焚き火台の折り畳まれた状態及び一対の側面板の開閉状態を示す概略斜視図である。
【図３】図１に示す焚き火台の折り畳まれた状態及び一対の脚部の開閉状態を示す概略斜視図である。
【図４】図１に示す焚き火台で、前面板及び背面板の取付け手順を示す概略斜視図である。
【図５】図１に示す焚き火台で、火格子、五徳及び扉の取付け手順を示す概略斜視図である。
【図６】エンボス加工の説明図であり、図６（ａ）は平板に通常の孔を設けた例、図６（ｂ）は平板をエンボス加工して凸部を形成した例、図６（ｃ）はエンボス加工により形成した凸部に孔を形成した例である。
【図７】従来の携帯コンロの一例を示す概略斜視図である。
【発明を実施するための形態】
【００１５】
本発明者は、落ち葉や枯れ木等の天然燃料を使用した場合に、優れた燃焼効率を得るための手段について鋭意研究を重ね、特に、金属の平板に火格子孔を設けた火格子について試行錯誤を繰り返した。その結果、火格子孔の周縁をエンボス加工により上方へ浮き出させると、火格子孔から燃焼室内への空気の流入が良好となり、燃焼室内に良好な対流が発生して、優れた燃焼効率が得られることを発見した。
【００１６】
エンボス加工とは、板の一部を浮き上がらせる加工であって、板の表面に文様を形成する場合等に用いられる。本発明においては、火格子孔を形成する際に、金属板に単純な孔を形成するのではなく、火格子孔の周縁をエンボス加工することにより、上方に浮き出させて形成している。これを、図６により詳しく説明する。
【００１７】
図６（ａ）は、金属の平板５０に普通に開口して火格子孔５１を設けた例を示している。図６（ｂ）は、平板５０の一部をエンボス加工により上方へ浮き出させて、球面状の凸部５２を形成した例を示している。図６（ｃ）は、平板５０の一部をエンボス加工して、球面状の凸部５２を形成し、その中心部に火格子孔５３を設けた例を示している。この結果、火格子孔５３は、その周縁がエンボス加工により上方へ浮き出された状態となる。ここでは、エンボス加工をして凸部５２を形成した後に火格子孔５３を設けた例を示したが、先に火格子孔５３を設け、その後にエンボス加工をして凸部５２を形成することもできる。
【００１８】
本発明の実施の形態について、図１〜図５を参照して詳細に説明する。図１は、本発明の焚き火台１０を組み立てて、使用可能とした状態を示している。この焚き火台１０は、金属の平板を素材とし、切断、打ち抜き、曲げ加工等を施して製作されている。また、分解と組み立てを繰り返し行えるように、２つの部材にスリットを設けて、互いのスリットを差し込んで嵌め込むことにより固定する方式を採用している。
【００１９】
この焚き火台１０は、脚部４１、４２を備えると共に略矩形の皿状に形成された灰受け部２０と、灰受け部２０の上部周縁に設けられる前面板６１、背面板６２、側面板６３、６４からなる囲み板を備えている。前面板６１には、扉９１が取付けられて、開閉可能となっている。また、囲み板の上には、好みの位置に五徳８１、８２を設けることができる。
【００２０】
図２は、本発明の焚き火台１０を折り畳んで持ち運び可能とした状態を示している。折り畳み状態では、全体が薄い箱状となり、内部に主要部品（前面板６１、背面板６２、火格子３１、３２、五徳８１、８２）を納めることができる。対向する広い２面の内、一方の面は、一対の側面板６３、６４で形成されている。一対の側面板６３、６４は、灰受け部２０の両端に回転軸２１、２２で連結されており、夫々灰受け部２０に対して略９０°回動させて、灰受け部２０に対して略垂直の状態に起立させることができる。
【００２１】
図３は、図２を裏返した状態で、他方の面を上にして示している。他方の面は、一対の脚部４１、４２で形成されている。２つの脚部４１、４２は、灰受け部２０の両端に回転軸２１、２２で連結されており、夫々灰受け部２０に対して略１００°回動させて、灰受け部２０に対して垂直よりも少し開いた状態に開脚させることができる。これにより、灰受け部２０を、脚部４１、４２の長さだけ地上から離して位置させることができる。
【００２２】
図４は、脚部４１、４２を開脚させ、側面板６３、６４を略垂直に起立させた状態を示している。側面板６３の両側には、上方に開放されたスリット７３、７３が形成され、側面板６４の両側には、上方に開放されたスリット７４、７４が形成されている。そして、前面板６１の両側には、下方に開放されたスリット７１、７１が形成され、背面板６２の両側には、下方に開放されたスリット７２、７２が形成されている。
【００２３】
前面板６１のスリット７１、７１は、夫々側面板６３のスリット７３及び側面板６４のスリット７４に噛合うように形成されている。したがって、前面板６１の一方のスリット７１と側面板６３のスリット７３とを互いに差し込むように嵌め込み、前面板６１の他方のスリット７１と側面板６４のスリット７４とを互いに差し込むように嵌め込んで、前面板６１を２つの側面板６３、６４の間に固定させることができる。
【００２４】
また、背面板６２のスリット７２、７２は、夫々側面板６３のスリット７３及び側面板６４のスリット７４に噛合うように形成されている。したがって、背面板６２の一方のスリット７２と側面板６３のスリット７３とを互いに差し込むように嵌め込み、背面板６２の他方のスリット７２と側面板６４のスリット７４とを互いに差し込むように嵌め込んで、背面板６２を２つの側面板６３、６４の間に固定させることができる。
【００２５】
このようにして、前面板６１、背面板６２、側面板６３、６４を、灰受け部２０の上部周縁を取り囲むように組み立て、囲み板とすることができる。そして、前面板６１、背面板６２、側面板６３、６４からなる囲み板の内部に、落ち葉や枯れ木を燃焼させる燃焼室が形成される。
【００２６】
図５は、火格子３１、３２、五徳８１、８２、及び扉９１の取付け手順を示している。火格子３１、３２は、略同型に形成されて、灰受け部２０の上に載置することができる。五徳８１、８２は、前面板６１、背面板６２、側面板６３、６４の上部に適宜配置することができる。また、前面板６１には、摘み９９を備えた扉９１を取付けることができる。
【００２７】
火格子３１、３２は、複数の火格子孔５１及び５３を備えている。図６において示したように、火格子孔５１は平板に普通に開孔したものである。また、火格子孔５３は、その周縁がエンボス加工により上方へ浮き出されて形成されている。ここでは、火格子孔５１と火格子孔５３とが、縦横に交互に配置された例を示しているが、火格子３１、３２全体において略均等であれば、どの様な配置をすることも可能である。
【００２８】
縦横に交互に配列した場合、エンボス加工された火格子孔５３の孔径は、普通に開孔した火格子孔５１の孔径よりもやや小さ目とすることが好ましい。あるいは、エンボス加工された火格子孔５３の全面積が、普通に開孔した火格子孔５１の全面積よりもやや小さ目とすることが好ましい。このように形成することにより、落ち葉や枯れ木等を良好な燃焼状態で燃焼させることができる。
【００２９】
火格子３１、３２の周縁端部には、下方に折り曲げられて形成された端側部３５を備えている。そして、端側部３５の高さによって、火格子３１、３２の上面と灰受け部２０との間が所定の距離に形成されている。端側部３５には複数の風孔５５が設けられ、外気を火格子３１、３２の下側に導入することができる。灰受け部２０の周囲にも、複数の風孔２５が設けられている。したがって、外気は風孔２５、５５を通過して、火格子３１、３２の下側に導入され、火格子孔５１、５３から燃焼室内に流入することになる。
【００３０】
囲み板にも風孔が設けられている。すなわち、前面板６１には複数の風孔７５が、背面板６２には複数の風孔７６が、側面板６３、６４には複数の風孔７７、７８が設けられている。したがって、外気は、風孔７５、７６、７７、７８からも大量に燃焼室内に導入される。
【００３１】
このように、火格子孔５１、５３及び囲み板に設けられた風孔７５、７６、７７、７８から導入される外気によって、落ち葉や枯れ木等が燃焼される。ここで、エンボス加工された火格子孔５３は、外気の導入に極めて良好に作用して、燃焼室内の最下層にある落ち葉や枯れ木の燃焼を促進する。そして、燃焼室内の全体に良好な対流を発生させ、優れた燃焼効率が得られるので、立消えを起こすことがない。
【００３２】
五徳８１、８２には、下方に開放されたスリット８５が設けられている。そして、前面板６１、背面板６２、側面板６３、６４の上部にも、上方に開放されたスリット６５が設けられている。そして、五徳８１、８２のスリット８５と、囲み板に設けられたスリット６５とを互いに差し込むように嵌め込むことにより、五徳８１、８２を囲み板の上部に取付けることができる。
【００３３】
図１、図４、図５に示すように、前面板６１には扉９１が設けられ、開口６８を自在に開閉することができる。すなわち、前面板６１には、２つのスリット６６、６７が形成されている。そして、扉９１の両側部を内側に９０°折り曲げて挿入部９２、９３とし、スリット６６、６７に差し込んでいる。さらに、両側部９２、９３の下端部９４、９５を９０°折り曲げて、扉９１が前面板６１から外れないようにしている。
【００３４】
挿入部９２、９３の折り曲げ部の近傍には、下方に開放されたスリット９６、９７が設けられている。扉９１を閉じた状態では、スリット６６、６７とスリット９６、９７とを互いに差し込むように嵌め込んで、固定することができる。また、扉９１を閉じた状態から扉９１を少し持ち上げると、スリット６６、６７とスリット９６、９７との噛み合いが外れて、扉９１を手前に回動させることができる。したがって、焚き火中に、落ち葉や枯れ木等の燃料を追加投入することができる。
【００３５】
本発明の焚き火台１０は、スリットを用いて部材の組み立てと分解を繰り返すこと、火格子孔５３の形成にエンボス加工が重要であること、また、高温の火炎に接触すること等の要件を考慮して耐久性のある素材を使用する必要がある。したがって、灰受け部２０、火格子３１、３２、囲み板６１、６２、６３、６４、扉９１、五徳８１、８２等、全てステンレスの板材を素材とすることが好ましい。
【符号の説明】
【００３６】
１０    焚き火台
２０、１２０    灰受け部
２１、２２、１２１、１２２    回転軸
２５、５５、７５、７６、７７、７８    風孔
３１、３２、１３０    火格子
３５    端側部
４１、４２    脚部
５０    平板
５１、５３、１３５    火格子孔
５２    凸部
６１、１６１    前面板（囲み板）
６２、１６２    背面板（囲み板）
６３、６４、１６３、１６４    側面板（囲み板）
６５、６６、６７、７１、７２、７３、７４、８５、９６、９７    スリット
６８    開口
８１、８２    五徳
９１    扉
９２、９３    挿入部
９４、９５    下端部
９９    摘み
１１０    携帯コンロ
【図１】
2010243042.tif 000003
【図２】
2010243042.tif 000004
【図３】
2010243042.tif 000005
【図４】
2010243042.tif 000006
【図５】
2010243042.tif 000007
【図６】
2010243042.tif 000008
【図７】
2010243042.tif 000009